(57)【特許請求の範囲】
【請求項１】
ＮＴＳＣ信号と該ＮＴＳＣ信号の帯域幅と実質的に同じ帯域幅であって映像と音声を含むデジタルテレビジョン信号とが混在して伝送される信号を受信する受信装置であって、
前記受信されたデジタルテレビジョン信号の周波数をＮＴＳＣ信号用の中間周波数と同等の周波数帯に変換し、出力する第１の周波数変換手段と、
前記第１の周波数変換手段の出力信号の中から所定のチャンネルの信号を抽出する抽出手段と、
前記抽出手段の出力信号を、前記第１の周波数変換手段の出力信号よりも低い周波数に変換する第２の周波数変換手段と、
前記第２の周波数変換手段の出力信号を復調するデジタル復調手段とを備えてなることを特徴とする受信装置。
【請求項２】
前記デジタルテレビジョン信号は６ＭＨｚの周波数帯域幅を有することを特徴とする請求項１に記載の受信装置。
【請求項３】
前記デジタルテレビジョン信号はＱＡＭ変調されていることを特徴とする請求項１又は２に記載の受信装置。
【請求項４】
前記第１の周波数変換手段は、前記デジタルテレビジョン信号を２段階に周波数変換することを特徴とする請求項１乃至３に記載の受信装置。
【請求項５】
前記第2の抽出手段はＳＡＷフィルタであることを特徴とする請求項１乃至４に記載の受信装置。
【請求項６】
前記第１の周波数変換手段内の局部発振器の発振周波数を制御するＰＬＬ手段を備えたことを特徴とする請求項１乃至５に記載の受信装置。
【請求項７】
前記抽出手段の出力信号をもとにＡＧＣを行うＡＧＣ手段を備えたことを特徴とする請求項１乃至６に記載の受信装置。
【請求項８】
前記デジタル復調手段の出力信号をもとにＡＦＣを行うＡＦＣ手段を備えたことを特徴とする請求項１乃至７に記載の受信装置。
【発明の詳細な説明】
【０００１】
【発明の属する技術分野】
本発明は、高精細テレビジョン信号と通常のテレビジョン信号とを受信することが可能な受信装置で、特に、高精細テレビジョン信号として６ＭＨｚの帯域に圧縮された信号と、通常のテレビジョン信号として６ＭＨｚの帯域を有するＮＴＳＣ信号を共用受信する受信装置に関する。
【０００２】
【従来の技術】
近年、従来からのテレビジョン放送（ＮＴＳＣ，ＰＡＬ等）に加えて、高精細テレビジョン放送方式の確立が各国で進められている。これに伴い、受信装置においても、高精細テレビジョン信号受信時の画質・音室劣化が少ない受信装置が必要となってきた。図１３に従来のシングルスーパーヘテロダイン方式テレビジョン受信装置を示す。同図において、１は信号入力端子、２は選局信号入力端子、４は映像及び音声信号出力端子、１７，２１は可変同調回路、１８，２０は可変減衰器、１９はＲＦ増幅器、２２は周波数変換器、２３，２５はＩＦ増幅器、２４はＩＦフィルタ、２６は局部発振器、２９はローパスフィルタ、３１はＰＬＬ（フェーズロックループ）回路、３４はＡＭ復調器である。また、これ以降は、例として標準ＴＶ信号にＮＴＳＣ信号を用いて説明していく。
【０００３】
信号入力端子１から入力されるＮＴＳＣ信号でＡＭ変調されたＲＦ信号のうち希望信号は、局部発振器２６の発信周波数に追従してその通過帯域の中心周波数が可変する可変同調回路１７，２１で選択的に通過され、希望信号が所望の受信レベルとなるよう可変減衰器１８，２０及びＲＦ増幅器１９で適宜増幅あるいは減衰され、周波数変換器２２に入力される。周波数変換器２２では、選局信号入力端子２から入力される選局信号により希望チャンネルに対応して周波数で発振を行うＰＬＬ回路３１、ローパスフィルタ２９でフィードバックを形成してなる局部発振器２６からの局部発振信号と混合し、４５ＭＨｚ帯のＩＦ信号を出力する。ＩＦ信号は第１，第２のＩＦ増幅器２３，２５で増幅されると共に、ＳＡＷフィルタなどで構成されるＩＦフィルタ２４で所望の帯域のみが通過され、ＡＭ復調器３４で復調され、ベースバンドの映像及び音声信号が出力される。ＡＧＣはＡＭ復調器３４の内部と可変減衰器１８，２０を用いて行う。また、ＡＦＣは局部発振器２６の発振周波数を微調して行う。
【０００４】
【発明が解決しようとする課題】
しかしながら、上記の受信装置は、ＮＴＳＣ等通常のテレビジョン信号を受信するものであり、高精細テレビジョン信号の受信は考慮されていない。また、通常のテレビジョン信号と高精細テレビジョン信号を共に受信することも考慮されていない。
【０００５】
本発明の目的は、通常のテレビジョン信号と高精細テレビジョン信号を共に受信することが可能な受信装置を提供することにある。
【０００６】
上記した目的を達成するため、ＮＴＳＣ信号と該ＮＴＳＣ信号の帯域幅と実質的に同じ帯域幅であって映像と音声を含むデジタルテレビジョン信号とが混在して伝送される信号を受信する受信装置であって、前記受信されたデジタルテレビジョン信号の周波数をＮＴＳＣ信号用の中間周波数と同等の周波数帯に変換し、出力する第１の周波数変換手段と、  前記第１の周波数変換手段の出力信号の中から所定のチャンネルの信号を抽出する抽出手段と、前記抽出手段の出力信号を、前記第１の周波数変換手段の出力信号よりも低い周波数に変換する第２の周波数変換手段と、前記第２の周波数変換手段の出力信号を復調するデジタル復調手段とを備えてなることを特徴とする構成にした。
【０００７】
かかる構成によると、ＮＴＳＣ信号と高精細テレビジョン信号を受信可能な受信装置を提供できる。また、選局回路，局部発振器，第１のミクサをＮＴＳＣ信号と高精細テレビジョン信号の受信時に共用し、第２のＩＦフィルタあるいはＩＦフィルタと復調器をＮＴＳＣ信号と高精細テレビジョン信号それぞれ用に個別に設けることで、回路規模の低減したＮＴＳＣ信号，高精細テレビジョン信号を受信する受信装置を構成できる。
【０００８】
【発明の実施の形態】
以下、本発明の実施形態を図面により説明する。
【０００９】
図１は本発明による受信装置の第１の実施形態を示すブロック図である。
【００１０】
同図において、１は信号入力端子、２は選局信号入力端子、３は高精細テレビジョン信号入力端子、４はＮＴＳＣ用映像及び音声信号出力端子、５は分配器、６は入力フィルタ、７，９，１８，２０は可変減衰器、８，１９は第１，第２のＲＦ増幅器、１０は第１のミクサ、１１は第１のＩＦフィルタ、１２は第１のＩＦ増幅器、１３は第２のミクサ、１４は第１のＩＦ増幅器、１５は高精細テレビジョン信号用ＩＦフィルタ、１６は第２のＩＦ増幅器、１７，２１は可変同調回路、２２は第３のミクサ、２３は第３のＩＦ増幅器、２４はＮＴＳＣ信号用ＩＦフィルタ、２５は第４のＩＦ増幅器、２６は第３の局部発振器、２７は第１の局部発振器、２８は第２の局部発振器、２９、３０はローパスフィルタ、３１，３２はＰＬＬ回路、３３は高精細テレビジョン信号用復調器、３４はＮＴＳＣ信号用ＡＭ復調器、３５は高精細テレビジョン信号用信号レベル検波器、３６はローパスフィルタ、３７はＡＧＣ電圧増幅器である。同図において、図１３と同様の動作を行う部分には、図１３と同一の番号を付し説明を略す。
【００１１】
ＮＴＳＣ信号が入力された場合には、従来例で述べた信号処理と同じなのでここでは説明を省略する。信号入力端子１から、ＮＴＳＣ信号でＡＭ変調されたＲＦ信号と、高精細テレビジョンの原信号をＡ／Ｄ変換後データ圧縮しＱＡＭ（直交軸振幅変調）等でデジタル変調された６ＭＨｚの帯域を有する高精細テレビジョンのＲＦ信号を入力し、分配器５で分配し、該高精細テレビジョンのＲＦ信号については入力フィルタ６でＶＨＦ帯、ＵＨＦ帯（さらには、ＶＨＦ帯を低域，中域，高域に分割する場合もある。）に分割し、希望チャネルを含む帯域を選択的に通過させる。その希望チャネルに対し、所望の信号レベルとなるよう可変減衰器７，９及びＲＦ増幅器８で適宜増幅あるいは減衰し、第１のミクサ１０へ入力する。第１のミクサ１０では、選局信号入力端子２から入力させる選局信号により希望チャネルに対応した周波数で発振を行うよう基準発振器や分周器を内蔵したＰＬＬ回路３２，ローパスフィルタ３０でフィードバックを形成してなる局部発振器２７からの局部発振信号と混合し、第１のＩＦ信号を出力する。第１のＩＦ信号周波数は受信信号の相互変調妨害などを低減するため、ＮＴＳＣテレビジョン信号の地上伝送帯域やＣＡＴＶ伝送帯域の上限周波数以上に設定する。具体的には、第１の局部発振信号や第２の局部発振信号及びその高調波信号による相互干渉妨害も考慮して、１ＧＨｚ以上で、１．２ＧＨｚ帯，１．７ＧＨｚ帯，２．６ＧＨｚ帯，３ＧＨｚ帯等に設定する。これらの周波数帯に設定された第１のＩＦ信号を第１のＩＦフィルタ１１で選択的に通過させる。高精細テレビジョン信号の復調はＮＴＳＣ信号より精度の高い復調を必要とする。高精細テレビジョン信号の復調特性を劣化させないため、第１のＩＦフィルタには帯域内平坦度と低群遅延偏差を有するバンドパスフィルタを用いる。第１のＩＦ信号は第１のＩＦ増幅器１２で増幅した後第２のミクサ１３に入力する。第２のミクサでは第２の局部発振器２８からの局部発振信号と混合し、第２のＩＦ信号を出力する。第２のＩＦ信号周波数は現行ＮＴＳＣ信号受信時と同じ４５ＭＨｚ帯とする。第２のＩＦ信号を第１のＩＦ増幅器１４で増幅した後、ＳＡＷフィルタ等で構成される高精細テレビジョン信号用ＩＦフィルタ１５に入力する。ＩＦフィルタで希望受信チャネルの帯域のみを通過させる。高精細テレビジョン信号を受信する場合には、第２のＩＦ増幅器１６で希望受信チャネルを増幅し高精細テレビジョン信号用復調器３３に入力し、変調方式に応じた復調を行い、データ圧縮された高精細テレビジョン信号を出力端子３から出力する。出力された信号はデータ伸長やＤ／Ａ変換などを行うデジタル信号処理回路へ入力され、高精細テレビジョンに映像及び音声あるいはデータを出力する。一方、ＮＴＳＣ信号を受信する場合には、第４のＩＦ増幅器２５で希望受信チャネルを増幅しＮＴＳＣ信号用ＡＭ復調器３４に入力し、ＡＭ復調され、ベースバンドの映像及び音声信号が出力端子４から出力される。ＡＧＣは、高精細テレビジョン信号を受信する場合は第２のＩＦ増幅器１６の出力から分岐した信号を信号レベル検波器３５で検波し、ローパスフィルタ３６，ＡＧＣ電圧増幅器３７によってＡＧＣ電圧を生成し、可変減衰器７，９に印加して行う。またＮＴＳＣ信号を受信する場合はＡＭ復調器３４の内部と内部で不足した分を可変減衰器１８，２０を用いて行う。また、ＡＦＣは高精細テレビジョン信号用復調器３３，ＮＴＳＣ信号用ＡＭ復調器３４からのそれぞれのＡＦＣ電圧を用い、第２の局部発振器２８，第３の局部発振器２６の発振周波数を微調して行う。なお、後述するが、高精細テレビジョン信号はＮＴＳＣ信号と同一のチャネルで伝送される場合も考慮されており、ＮＴＳＣ信号からの干渉妨害を避けるため、ＮＴＳＣ信号中エネルギーの高い映像及び音声搬送波と色副搬送波の近傍には、予め高精細テレビジョン信号のスペクトルを配置しない図７に示した信号を用いることや高精細テレビジョン信号用復調器３３に上記ＮＴＳＣ信号の搬送波，副搬送波を除去するノッチフィルタを設けることなどが必要である。
【００１２】
以上説明したように、本実施形態の受信装置は、ＮＴＳＣ信号と高精細テレビジョン信号の受信が可能であるだけでなく、高精細テレビジョン信号を高精度に復調することが可能である。
【００１３】
図２は本発明による受信装置の第２の実施形態を示すブロック図である。同図において、図１と同様の動作を行う部分には、図１と同一の番号を付し説明を略す。
【００１４】
この第２の実施形態は回路規模の低減を考慮したものである。即ち、上記第１の実施形態では高精細テレビジョン信号用に第１の局部発振器２７とＰＬＬ回路３２、ＮＴＳＣ信号用に第３の局部発振器２６とＰＬＬ回路３１を用いて、希望受信チャネルを第１のＩＦ信号あるいはＩＦ信号に変換する局部発振信号周波数の制御を行い、高精細テレビジョン信号受信時には、ＡＦＣ電圧を用いた微調整を第２の局部発振器２８で行っていたのに対し、本実施形態では、図２に示すように、局部発振器２６とＰＬＬ回路３１を共有し、ＡＦＣ電圧を用いた微調整もＰＬＬ回路３１内で高精細テレビジョン信号用復調器３３，ＮＴＳＣ信号用ＡＭ復調器３４からのＡＦＣ電圧を受信信号に応じて切換えて局部発振器２６の発振周波数制御を行っている。
【００１５】
この第２の実施形態では、第１の実施形態で述べた効果に加え、高精細テレビジョン信号処理部とＮＴＳＣ信号処理部で局部発振器とＰＬＬ回路を共用することにより、回路規模の低減が図れ、周波数制御を局部発振器２６だけで行う簡便な選局手段が得られる。
【００１６】
図３は本発明による受信装置の第３の実施形態を示すブロック図である。同図において、図１，図２と同様の動作を行う部分には、図１，図２と同一の番号を付し説明を略す。
【００１７】
この第３の実施形態も回路規模の低減を考慮したものである。即ち、上記第１，第２の実施形態では高精細テレビジョン信号用に第１のミクサ１０，ＮＴＳＣ信号用に第３ミクサ２２を用いて、希望受信チャネルを第１のＩＦ信号あるいはＩＦ信号に変換する周波数変換を行っていたのに対し、第３の実施形態では、図３に示すように、ミクサ１０を共用し周波数変換を行っている。
【００１８】
この第３の実施形態では、第１，第２の実施形態で述べた効果に加え、高精細テレビジョン信号処理部とＮＴＳＣ信号処理部でミクサ１０を共用することにより、回路規模の低減が図れる。
【００１９】
また、図示していないが、第１のＩＦ増幅器１４と第３のＩＦ増幅器２３のいずれかを高精細テレビジョン信号処理部とＮＴＳＣ信号処理部で共用することにより、上記と同様な効果が得られる。
【００２０】
図４は本発明による受信装置の第４の実施形態を示すブロック図である。同図において、図２に示した実施形態と同様の動作を行う部分には、図２と同一の番号を付し説明を略す。同図において、３９は第４ミクサ、４０は第４の局部発振器、５０はベースバンドでの高精細テレビジョン信号用復調器である。
【００２１】
この第４の実施形態は高精細テレビジョン信号に対し、第２のＩＦ信号をさらにベースバンドへ周波数変換し復調を行うことを特徴とする。即ち、上記第２の実施形態では高精細テレビジョン信号に対し、第２のミクサ１３から出力した４５ＨＭｚ帯の第２のＩＦ信号を第１，第２のＩＦ増幅器１４，１６で増幅し、高精細テレビジョン信号用ＩＦフィルタ１５で帯域選択した後、高精細テレビジョン信号用復調器３３に入力し、変調方式に応じた復調を行っていたのに対し、この第４の実施形態では、図４に示すように、第４ミクサで第２のＩＦ信号と第４の局部発振器４０からの４５ＨＭｚ帯、５８ＭＨｚ帯などの標準周波数帯の局部発振信号と混合し、ベースバンドの高精細テレビジョン信号を出力する。この信号をローパスフィルタ４１で選択通過させ、ベースバンドでの高精細テレビジョン信号用復調器５０で復調を行う。
【００２２】
この第４の実施形態では、第１，第２の実施形態で述べた効果に加え、高精細テレビジョン信号の復調を低周波域のベースバンドで行えるため、高精細テレビジョン信号用復調器の構成が簡単になる。
【００２３】
図５は本発明による受信装置の第５の実施形態を示すブロック図である。同図において、図４に示した実施形態と同様の動作を行う部分には、図４と同一の番号を付し説明を略す。同図において、３１は基準発振器を含まないＰＬＬ回路、４２は分周器である。
【００２４】
この第５の実施形態は、図５に示すように、第４の局部発振器４０の発振信号を分周して、局部発振器２６の発振周波数を制御するＰＬＬ回路３１の基準発振信号として用いることを特徴とする。高精細テレビジョン信号のＩＦ信号をベースバンドへ周波数変換する第４ミクサ３９では、周波数精度の高い局部発振信号が必要になる。従って、第４の局部発振器４０では水晶振動子やＳＡＷ共振子等を用いた周波数安定度の高い発振回路を構成している。このため、上記第２の実施形態でＰＬＬ回路３１に含まれていた基準発振器に替えて、第４の局部発振器４０の発振信号を分周器４２で分周していた。
【００２５】
この第５の実施形態では、第４の実施形態で述べた効果に加え、第４の局部発振器４０の発振信号を分周器４２で分周してＰＬＬ回路３１の基準発振信号として用いるので、受信装置の発振器部分の回路規模低減が図れると共に、高精細テレビジョン信号の高精度な復調が可能である。
【００２６】
以下、高精細テレビジョン信号の形式に基づいて、より具体的な実施形態を図面を用いて説明する。
【００２７】
図６は本発明による受信装置の第６の実施形態を示すブロック図、図７は第６の実施形態を補足する信号帯域図である。図６において、図５に示した実施形態と同様の動作を行う部分には、図５と同一の番号を付し説明を略す。同図において、６０は高精細テレビジョン信号用の第１のＩＦフィルタ、６１は高精細テレビジョン信号用の第２のＩＦフィルタ、６２は第５のＩＦ増幅器、６３は第５ミクサ、６４，６５はローパスフィルタ、６６，６７ベースバンド信号用増幅器である。
【００２８】
この第６の実施形態は、図７に示すベースバンド信号帯域を有する高精細テレビジョン信号と、ＮＴＳＣ信号を受信することを特徴とする。図７には高精細テレビジョン信号の周波数スペクトルに、比較のためＮＴＳＣ信号の映像及び音声搬送波（ｆｖ，ｆｓ）と色副搬送波（ｆｃ）を示した。６ＭＨｚの信号帯域に圧縮する高精細テレビジョン信号の形式については、米国等で検討されており、例えば福井氏「次世代テレビ方式の欧米における動向」ｐｐ．５０６−５０８、テレビジョン学会１９９２年年次大会等に詳細に述べられている。高精細テレビジョン信号はＮＴＳＣ信号と同一のチャネルで伝送される場合も考慮されており、ＮＴＳＣ信号からの干渉妨害を避けるため、ＮＴＳＣ信号中エネルギーの高い映像及び音声搬送波の近傍には、予め高精細テレビジョン信号のスペクトルを配置しない図７に示した信号を用いることが提案されている。図７はＱＡＭされた高精細テレビジョン信号に対し、ＮＴＳＣ信号の映像搬送波周波数以下を優先度の高い信号（ＨＰ部），映像搬送波周波数以上をそれ以外の信号（ＳＰ部）に分割して伝送する信号形式である。この第６の実施形態は、図６に示すように、二重周波数変換された高精細テレビジョン信号の第２のＩＦ信号から、ＳＡＷフィルタで構成した高精細テレビジョン信号用の第１のＩＦフィルタ６０及び第２のＩＦフィルタ６１により、このＨＰ部，ＳＰ部を分割し、第２のＩＦ増幅器１６及び第５のＩＦ増幅器６２で増幅した後、第４ミクサ３９及び第５ミクサ６３でそれぞれベースバンドへ周波数変換する。ベースバンドに変換したＨＰ部，ＳＰ部はそれぞれローパスフィルタ６４，６５を通過後、ベースバンド信号用増幅器６６，６７で所望の信号レベルとして高精細テレビジョン信号用復調器５０へ入力し、復調する。なお、高精細テレビジョン信号用の第１のＩＦフィルタ６０及び第２のＩＦフィルタ６１は、それぞれ分離されたＳＡＷフィルタで構成したが、同一の基板上に構成されたフィルタでも帯域分離は可能である。
【００２９】
この第６の実施形態では、第５の実施形態で述べた効果を有すると共に、図７に示した信号帯域の高精細テレビジョン信号に対し、二重周波数変換後、帯域を分割して信号処理を行うため、両帯域間の干渉や同一チャネルで伝送されるＮＴＳＣ信号からの妨害を十分に低減することが可能となる。
【００３０】
図８は本発明による受信装置の第７の実施形態を示すブロック図である。同図において、図６に示した実施形態と同様の動作を行う部分には、図６と同一の番号を付し説明を略す。同図において、７０は第１のＱＡＭ検波器、７１は第２のＱＡＭ検波器、７２，７３は９０度移相器、７４は第１のキャリア及びクロック再生回路、７５は第２のキャリア及びクロック再生回路、７６は第５の発振器、７７は第６の発振器、７８はＡＦＣ電圧発生回路、５１はデータ復調器である。この第７の実施形態は、図８に示すように、二重周波数変換された高精細テレビジョン信号の第２のＩＦ信号から、ＳＡＷフィルタで構成した高精細テレビジョン信号用の第１のＩＦフィルタ６０及び第２のＩＦフィルタ６１により、上記高精細テレビジョン信号のＨＰ部，ＳＰ部を分離し、第２のＩＦ増幅器１６及び第５のＩＦ増幅器６２で増幅した後、それぞれを第１及び第２のＱＡＭ検波器７０，７１で、第５及び第６の発振器７６，７７の発振信号を９０度移相器７２，７３で移相して互いに９０度の位相差を有する２信号を用いて検波する。この際、ＡＦＣ電圧発生回路７８で局部発振器２６の発振周波数を制御し、第１及び第２のキャリア及びクロック再生回路７４，７５でのキャリア及びクロック信号再生を最良状態となるように周波数制御を行う。検波された信号はデータ復調器５１へ入力し、復調する。なお、ここでは局部発振器２６の発振周波数を制御したが、第２の局部発振器２８の発振周波数を制御する構成や第５及び第６の発振器７６，７７の発振周波数を制御する構成でもよい。
【００３１】
この第７の実施形態では、第６の実施形態で述べた効果を有すると共に、図７に示した信号帯域の高精細テレビジョン信号のＨＰ部，ＳＰ部に対し、それぞれＱＡＭ復調を行うため、両帯域間の干渉や同一チャネルで伝送されるＮＴＳＣ信号からの妨害をさらに低減することが可能で、より高精度のデータ復調が可能となる。また、局部発振器２６の発振周波数を制御してＱＡＭ復調を行うため、高精度な高精細テレビジョン信号の復調が可能となる。
【００３２】
図９は本発明による受信装置の第８の実施形態を示すブロック図、図１０はこの第８の実施形態を補足する信号帯域図である。図９において、図２に示した実施形態と同様の動作を行う部分には、図２と同一の番号を付し説明を略す。同図において、５２は高精細テレビジョン信号用復調器である。
【００３３】
この第８の実施形態は、図１０に示すベースバンド信号帯域を有する高精細テレビジョン信号と、ＮＴＳＣ信号を受信することを特徴とする。図１０には図７と同様高精細テレビジョン信号の周波数スペクトルに、比較のためＮＴＳＣ信号の映像及び音声搬送波（ｆｖ，ｆｓ）と色副搬送波（ｆｃ）を示した。同図は６ＭＨｚの信号帯域に圧縮する高精細テレビジョン信号の他のデジタル変調形式として４値の残留側波帯振幅変調（ＶＳＢ）を用いた信号帯域図である。この第８の実施形態は、図９に示すように、二重周波数変換された高精細テレビジョン信号の第２のＩＦ信号をＳＡＷフィルタで構成した高精細テレビジョン信号用のＩＦフィルタ１５で選択通過させ、第２のＩＦ増幅器１６で増幅した後、ＮＴＳＣ信号のＩＦ信号と同様に、ＡＭ復調器３４に入力し、復調する。ＮＴＳＣ信号を復調した場合にはＡＭ復調器３４から復調信号を出力するが、高精細テレビジョン信号を復調した場合には、さらに高精細テレビジョン信号用復調器５２に入力し、復調を行う。なお、同一チャネルで伝送されるＮＴＳＣ信号からの妨害を低減するため、ＡＭ復調器３４の中には高精細テレビジョン信号受信時に動作する上記ＮＴＳＣ信号の搬送波，副搬送波を除去するノッチフィルタを設けている。また、入力フィルタ６に、１チャネル分の帯域幅を有し、局部発振器２６の発振周波数に追従してその通過帯域の中心周波数を可変するバンドパスフィルタを設け、希望受信信号に比べて強電界の妨害信号が入力した場合にも、妨害の発生を低減している。
【００３４】
この第８の実施形態では、第２の実施形態で述べた効果に加え、高精細テレビジョン信号もＡＭ変調されているので、高精細信号の復調の一部をＮＴＳＣ信号の復調器を用いて行うことができ、またＡＧＣ電圧やＡＦＣ電圧の制御も共通に行うことができ、受信装置の回路構成が簡略化され、回路規模を縮小することが可能となる。また、この第８の実施形態では高精細テレビジョン信号用ＩＦフィルタ１５とＮＴＳＣ信号用ＩＦフィルタ２４を別個に設けたが、高精細テレビジョン信号とＮＴＳＣ信号の残留側波帯幅やロールオフ特性が類似している場合には両者を共有することができ、さらに回路規模が縮小される。
【００３５】
図１１は本発明による受信装置の第９の実施形態を示すブロック図、図１２はこの第９の実施形態を補足する信号帯域図である。同図において、図２及び図８に示した実施形態と同様の動作を行う部分には、図２及び図８と同一の番号を付し説明を略す。同図において、５３は高精細テレビジョン信号用データ復調器である。
【００３６】
この第９の実施形態は、図１２に示すベースバンド信号帯域を有する高精細テレビジョン信号と、ＮＴＳＣ信号を受信することを特徴とする。図１２には図７と同様高精細テレビジョン信号の周波数スペクトルに、比較のためＮＴＳＣ信号の映像及び音声搬送波（ｆｖ，ｆｓ）と色副搬送波（ｆｃ）を示した。同図は６ＭＨｚの信号帯域に圧縮する高精細テレビジョン信号の他の形式として１６値あるいは３２値のＱＡＭ変調を用いた信号帯域図である。この第９の実施形態は、図１１に示すように、二重周波数変換された高精細テレビジョン信号の第２のＩＦ信号をＳＡＷフィルタで構成した高精細テレビジョン信号用のＩＦフィルタ１５で選択通過させ、第２のＩＦ増幅器１６で増幅した後、第１のＱＡＭ検波器７０で、第５の発振器７６の発振信号を９０度移相器７２で移相して互いに９０度の位相差を有する２信号を用いて検波する。この際、ＡＦＣ電圧発生回路７８で局部発振器２６の発振周波数を制御し、第１及び第２のキャリア及びクロック再生回路７４，７５でのキャリア及びクロック信号再生を最良状態となるように周波数制御を行う。検波された信号はデータ復調器５３へ入力し、復調する。なお、ここでは局部発振器２６の発振周波数を制御したが、第２の局部発振器２８の発振周波数を制御する構成や第５の発振器７６の発振周波数を制御する構成でもよい。また、同一チャネルで伝送されるＮＴＳＣ信号からの妨害を低減するため、ＱＡＭ検波器７０には上記ＮＴＳＣ信号の搬送波，副搬送波を除去するためノッチフィルタを設けている。
【００３７】
この第９の実施形態では、第２の実施形態で述べた効果に加え、局部発振器２６の発振周波数を制御してＱＡＭ復調を行うため、高精度な高精細テレビジョン信号の復調が可能となる。
【００３８】
なお、これまで述べた実施形態は、ＮＴＳＣ信号と高精細テレビジョン信号を信号入力端子１から入力し、分配器５で分配する構成としているが、入力端子を２個設けて、それぞれの信号処理部に入力する構成としても同様な効果が得られる。
【００３９】
また、これまでの実施形態は、ＮＴＳＣ信号と高精細テレビジョン信号を受信する受信装置として、主にＴＶ，ＶＴＲ機器での使用を述べたが、前記受信装置はディジタル通信等の通信分野へ応用しても同様な効果が得られる。
【００４０】
【発明の効果】
以上説明したように、本発明によれば、通常のテレビジョン信号と高精細テレビジョン信号を共に受信することが可能な受信装置を提供することにある。
【図面の簡単な説明】
【図１】本発明による受信装置の第１の実施形態を示すブロック図である。
【図２】本発明による受信装置の第２の実施形態を示すブロック図である。
【図３】本発明による受信装置の第３の実施形態を示すブロック図である。
【図４】本発明による受信装置の第４の実施形態を示すブロック図である。
【図５】本発明による受信装置の第５の実施形態を示すブロック図である。
【図６】本発明による受信装置の第６の実施形態を示すブロック図である。
【図７】図６に示した第６の実施形態を補足する信号帯域図である。
【図８】本発明による受信装置の第７の実施形態を示すブロック図である。
【図９】本発明による受信装置の第８の実施形態を示すブロック図である。
【図１０】図９に示した第８の実施形態を補足する信号帯域図である。
【図１１】本発明による受信装置の第９の実施形態を示すブロック図である。
【図１２】図１１に示した第９の実施形態を補足する信号帯域図である。
【図１３】従来の受信装置の一例を示すブロック図である。
【符号の説明】
１  信号入力端子
２  選局信号端子
３  高精細テレビジョン信号出力端子
４  ＮＴＳＣ信号出力端子
５  分配器
７，９，１８，２０  可変減衰器
８，１９  第１，２のＲＦ増幅器
１０  第１のミクサ
１１  第１のＩＦフィルタ
１２  第１のＩＦ増幅器
１３  第２のミクサ
１４  第１のＩＦ増幅器
１５，６０，６１  高精細テレビジョン信号用ＩＦフィルタ
１６  第２のＩＦ増幅器
１７，２１  可変同調回路
２２  第３のミクサ
２３  第３のＩＦ増幅器
２４  ＮＴＳＣ信号用ＩＦフィルタ
２５  第４のＩＦ増幅器
２６  第３の局部発振器
２７  高精細テレビジョン信号用の第１の局部発振器
２８  第２の局部発振器
２９，３０，３６，４１，６４，６５  ローパスフィルタ
３１，３２  ＰＬＬ回路
３３，５０，５１，５２，５３  高精細テレビジョン信号用復調器
３４  ＮＴＳＣ信号用復調器
３５  高精細テレビジョン信号用レベル検出器
３７  ＡＧＣ電圧増幅器
３９  第４のミクサ
４０  第４の局部発振器
４２  分周器
６２  第５のＩＦ増幅器
６３  第５のミクサ
６６，６７  ベースバンド信号用増幅器
７０，７１  ＱＡＭ検波器
７２，７３  ９０度移相器
７４，７５  キャリア及びクロック再生回路
７６，７７  基準発振器
７８  ＡＦＣ電圧発生器
【図１】
0003617521.tif 000002
【図２】
0003617521.tif 000003
【図３】
0003617521.tif 000004
【図４】
0003617521.tif 000005
【図５】
0003617521.tif 000006
【図６】
0003617521.tif 000007
【図７】
0003617521.tif 000008
【図８】
0003617521.tif 000009
【図９】
0003617521.tif 000010
【図１０】
0003617521.tif 000011
【図１１】
0003617521.tif 000012
【図１２】
0003617521.tif 000013
【図１３】
0003617521.tif 000014